(57)【要約】  本明細書で紹介するアプローチは、流体（１０５）を送出する流体送出装置（１００）に関する。流体送出装置（１００）は、流体貯蔵容器（１２２）から流体（１０５）を放出する少なくとも１つの放出装置（１１５）を備える。さらに流体送出装置（１００）は、放出装置（１１５）と力センサ（２０５）との間で緊張され、流体（１０５）の放出時に復元力（Ｆ’）を力センサ（２０５）に及ぼすように形成されているばね（２００）を備える。最後に流体送出装置（１００）は、流体（１０５）の放出時に、力センサ（２０５）に作用する復元力（Ｆ’）をセンシングするように形成されている力センサ（２０５）を備える。
2019514629.tif 000002
【特許請求の範囲】
【請求項１】
流体（１０５）を送出する流体送出装置（１００）であって、
前記流体送出装置（１００）は、
流体貯蔵容器（１２２）から前記流体（１０５）を放出する放出装置（１１５）と、
前記放出装置（１１５）と力センサ（２０５）との間で緊張され、前記流体（１０５）の放出時に復元力（Ｆ’）を前記力センサ（２０５）に及ぼすように形成されているばね（２００）と、
前記流体（１０５）の放出時に、前記力センサ（２０５）に作用する前記復元力（Ｆ’）をセンシングするように形成されている前記力センサ（２０５）と、
を少なくとも備える、流体送出装置（１００）。
【請求項２】
センシングされた前記復元力（Ｆ’）を用いて、前記流体（１０５）の放出された流体量を特定し、かつ／または記憶するように形成されている特定装置（３００）を備える、請求項１記載の流体送出装置（１００）。
【請求項３】
前記放出された流体量の少なくとも１つの時点を検出し、前記放出された流体量の前記時点を記憶する時間検出装置（３０５）を備える、請求項２記載の流体送出装置（１００）。
【請求項４】
前記放出された流体量および／または少なくとも１つの記憶された流体量および／または前記記憶された流体量の時点を表示する表示装置（３１５）を備え、特に前記表示装置（３１５）は、電気泳動ディスプレイを有する、請求項２または３記載の流体送出装置（１００）。
【請求項５】
前記放出された流体量を、前記流体送出装置（１００）の外部に配置される機器に提供する通信インタフェース（３１０）を備え、特に前記通信インタフェースは、前記放出された流体量をワイヤレスで提供するように形成されている、請求項２から４までのいずれか１項記載の流体送出装置（１００）。
【請求項６】
前記力センサ（２０５）は、クオーツおよび／またはピエゾおよび／またはＭＥＭＳをベースに形成されている、請求項１から５までのいずれか１項記載の流体送出装置（１００）。
【請求項７】
前記流体送出装置（１００）は、医薬品、特にインスリンとしての前記流体（１０５）を送出するように形成されている、請求項１から６までのいずれか１項記載の流体送出装置（１００）。
【請求項８】
前記放出装置（１１５）は、流体量を調整する調整要素（２１５）と、ハウジング要素（２１０）とを有し、前記調整要素（２１５）は、前記流体（１０５）の放出時に少なくとも部分的に前記ハウジング要素（２１０）内に導入される、請求項１から７までのいずれか１項記載の流体送出装置（１００）。
【請求項９】
前記放出装置（１１５）は、前記流体貯蔵容器（１２２）を押すプランジャ（２１９）を有し、前記プランジャ（２１９）は、前記調整要素（２１５）の動きに対して相対運動を行うように形成されている、請求項８記載の流体送出装置（１００）。
【請求項１０】
前記ハウジング要素（２１０）は、少なくとも１つの突出部（２２２）を前記ばね（２００）の載置面（２２３）として有する、請求項８または９記載の流体送出装置（１００）。
【請求項１１】
前記ばね（２００）は、前記突出部（２２２）の前記載置面（２２３）に回転可能に支持されている、請求項１０記載の流体送出装置（１００）。
【請求項１２】
流体（１０５）を送出する流体送出装置（１００）を製造する方法（５００）であって、前記方法（５００）は、
流体貯蔵容器（１２２）から前記流体（１０５）を放出する放出装置（１１５）と、前記流体（１０５）の放出時に前記放出装置（１１５）に作用する復元力（Ｆ’）をセンシングするように形成されている力センサ（２０５）とを備える前記流体送出装置（１００）の少なくとも１つのコンポーネントを用意するステップ（５０５）と、
前記流体（１０５）の放出時に前記復元力（Ｆ’）を前記力センサ（２０５）に及ぼすように形成されているばね（２００）を前記放出装置（１１５）と前記力センサ（２０５）との間で緊張させるステップ（５１０）と、
を少なくとも備える、流体（１０５）を送出する流体送出装置（１００）を製造する方法（５００）。
【請求項１３】
流体（１０５）を送出する流体送出装置（１００）を運転する方法（６００）であって、前記方法（６００）は、
流体貯蔵容器（１２２）から前記流体（１０５）を放出するステップ（６０５）と、
力センサ（２０５）と放出装置（１１５）との間で緊張されたばね（２００）により及ぼされる復元力（Ｆ’）であって、前記放出のステップ（６０５）において前記力センサ（２０５）に作用する復元力（Ｆ’）をセンシングするステップ（６１０）と、
を少なくとも備える、流体（１０５）を送出する流体送出装置（１００）を運転する方法（６００）。
【請求項１４】
請求項１３記載の方法を実施するように構成されたコンピュータプログラム。
【請求項１５】
請求項１４記載のコンピュータプログラムが記憶されている機械読み取り可能な記憶媒体。
【発明の詳細な説明】
【技術分野】
【０００１】
従来技術
アプローチは、独立請求項の上位概念部に記載の装置または方法から出発する。コンピュータプログラムも、本アプローチの対象である。
【０００２】
糖尿病で体内からのインスリンの分泌が不足している場合、インスリン製剤の注入による治療が行われる。注入に用いられる慣用の装置は、使い捨て注射器、常時留置型のインスリンポンプならびに使い捨て型および入れ替え型のペンである。既に注入したインスリン量を把握しておくために、糖尿病患者にとって、少なくとも１回前に注入したインスリン量が記憶されるようになっていると、有益なことがある。
【０００３】
国際公開第２０１５／０７４９７９号には、患者が、投与すべきインスリン量を調整する際に、回転運動も並進運動も行う調量ボタンを回転させねばならないインスリンペンが記載されている。
【０００４】
発明の開示
これを背景に、ここで紹介するアプローチにより、主請求項に記載の流体を送出する流体送出装置、流体送出装置を製造する方法および流体送出装置を運転する方法、ならびに最終的には、相応のコンピュータプログラムを紹介する。従属請求項に記載の手段により、独立請求項に記載の流体送出装置の有利な発展および改良が可能である。
【０００５】
流体を送出する流体送出装置を紹介する。流体送出装置は、流体貯蔵容器から流体を放出する少なくとも１つの放出装置を備えている。加えて流体送出装置は、放出装置と力センサとの間で緊張され、流体の放出時に復元力を力センサに及ぼすように形成されているばねを備えている。最後に流体送出装置は、流体の放出時に、力センサに作用する復元力をセンシングするように形成されている力センサを備えている。
【０００６】
紹介するアプローチにより達成可能な利点は、流体の、流体送出装置により送出される流体量が、流体の放出時に力センサによりセンシングされる復元力を用いて迅速に特定され得ることにある。ばねの復元力は、例えば次式Ｆ’＝−Ｄ×ｓにより算出される。Ｆ’は、復元力、Ｄは、ばね定数、ｓは、ばねの長さである。それゆえ復元力は、例えばばねの長さおよびばね定数に依存している。その際、ばね定数は、例えばとりわけばねの材料と、ばねの幾何学形状、すなわちばねの線径、ばね径およびばねの巻数とに依存している。
【０００７】
医薬品送出装置、例えばインスリンペンにより医薬品を供与している患者にとって、放出された医薬品量について知っておくことは、重要な場合がある。例えば多くの糖尿病患者が日に複数回異なる量のインスリンを必要とするからである。前に投与したインスリン量を患者が見ることができれば、このことは、患者にとって以後の治療を行いやすくすることができる。
【０００８】
このために、流体送出装置が、一実施の形態では、センシングされた復元力を用いて、流体の放出された流体量を特定し、かつ／または記憶するように形成されている特定装置を備えていると、有利である。放出された流体量を時間に割り当てることができるように、流体送出装置は、放出された流体量の少なくとも１つの時点を検出する時間検出装置を備えていてもよく、この放出された流体量の時点は、同じく記憶されてもよい。
【０００９】
放出された流体量および／または少なくとも１つの記憶された流体量および／または記憶された流体量の時点を表示すべく、流体送出装置は、有利には、放出された流体量および／または少なくとも１つの記憶された流体量および／または記憶された流体量の時点を表示する表示装置を備えていてもよい。その際、表示装置は、電気泳動ディスプレイ（Ｅ−Ｉｎｋ−Ｄｉｓｐｌａｙ）、つまり電子ペーパディスプレイを有していてもよい。電気泳動ディスプレイは、極めて低いエネルギで持続的な表示を可能にする。
【００１０】
さらに流体送出装置が、一実施の形態によれば、放出された流体量を、流体送出装置の外部に配置される機器に提供するように形成されている通信インタフェースを備えていると、有利である。その際、患者が、放出された流体量を例えば携帯電話（例えばスマートフォン）や、コンピュータによって読み取り、何時でも利用することができるように、通信インタフェースは、放出された流体量をワイヤレスで提供することができる。
【００１１】
小さな面積で復元力の形の信頼性の高い測定値をセンシングすべく、力センサは、クオーツおよび／またはピエゾおよび／またはＭＥＭＳをベースに形成されていることができる。
【００１２】
放出装置は、流体量を調整する調整要素と、ハウジング要素とを有していてもよく、調整要素は、流体の放出時に少なくとも部分的にハウジング要素内に導入される。解放すべき流体量を患者が調整するとき、患者は、調整要素を例えば調整要素の雄ねじ山を介してハウジング要素の雌ねじ山内に螺入またはハウジング要素の雌ねじ山から螺解することができる。調整された放出すべき流体量の放出は、再び、流体量の調整を終え、回転運動をロックした後、圧力センサに対する患者により及ぼされた圧力により行われることができ、調整要素は、ハウジング要素内へのリニア運動を行う。このために放出装置が、流体貯蔵容器を押すプランジャを有しているとき、プランジャは、調整要素の運動に対して相対運動を行うように形成されていることができる。而して調整要素のリニア運動は、流体の放出時に流体貯蔵容器を予め設定した流体量に応じて押すことができる。
【００１３】
ハウジング要素は、内側に向かって方向付けられた突出部をばねの載置面として有していてもよい。而してばねは、ハウジング要素内に保護されて収容されていることができ、突出部の側から所定の位置に保持されることができる。
【００１４】
一実施の形態によれば、ばねは、突出部の載置面に回転可能に支持されていることができる。而して、ばねが、放出すべき流体量の調整時の調整要素の回転運動中に緊張または弛緩されてしまうことは、防止可能である。
【００１５】
流体を送出する流体送出装置を製造する方法は、
流体貯蔵容器から流体を放出する放出装置と、流体の放出時に放出装置に作用する復元力をセンシングするように形成されている力センサとを備える流体送出装置の少なくとも１つのコンポーネントを用意するステップと、
流体の放出時に復元力を力センサに及ぼすように形成されているばねを放出装置と力センサとの間で緊張させるステップと、
を少なくとも備えている。
【００１６】
本方法は、紹介する流体送出装置の一変化態様により実施可能である。
【００１７】
流体を送出する流体送出装置を運転する方法は、
流体貯蔵容器から流体を放出するステップと、
力センサと放出装置との間で緊張されたばねにより及ぼされる復元力であって、放出のステップにおいて力センサに作用する復元力をセンシングするステップと、
を備えている。
【００１８】
この方法は、例えば制御装置内に例えばソフトウェアもしくはハードウェアまたはソフトウェアとハードウェアとの混合形態で実装されていることができる。
【００１９】
プログラムコードを有するコンピュータプログラムまたはコンピュータプログラム製品であって、機械読み取り可能なキャリアまたは記憶媒体、例えば半導体メモリ、ハードディスク記憶装置または光メモリに記憶されていることができ、上述の実施の形態のうちの１つによる方法のステップを実施、変換かつ／または制御するために使用される、特にプログラム製品またはプログラムがコンピュータまたは装置上で実施されるときに使用される、プログラムコードを有するコンピュータプログラムまたはコンピュータプログラム製品も、有利である。
【００２０】
ここで紹介するアプローチの実施例を図面に示し、以下の説明において詳述する。
【図面の簡単な説明】
【００２１】
【図１】流体送出装置の斜視図である。
【図２】一実施例による流体送出装置の一コンポーネントの断面図である。
【図３】一実施例による流体送出装置の一コンポーネントの断面図である。
【図４】一実施例による流体送出装置の一コンポーネントの断面図である。
【図５】一実施例による流体送出装置を製造する方法のフローチャートである。
【図６】一実施例による流体送出装置を運転する方法のフローチャートである。
【００２２】
本アプローチの好適な実施例の以下の説明において、それぞれ異なる図面に示し、類似に作用する要素に対して、同一または類似の符号を用いることで、これらの要素について繰り返し説明することは省略する。
【００２３】
図１は、流体１０５を送出する流体送出装置１００の斜視図である。流体送出装置１００は、インスリン１０５を注入するインスリンペンまたは注入ペンとして形成されている。流体送出装置１００は、キャップ１１０、放出装置１１５、調量ボタン１１７および針１２０を備えている。
【００２４】
インスリン１０５を注入するには、最初に、インスリン１０５で満たされたインスリンカープル（インスリンカートリッジということもある）として形成された流体貯蔵容器１２２を放出装置１１５内に導入する。流体貯蔵容器１２２は、刺通可能なダイヤフラム１２５を一方の側に有するシリンジアンプルである。流体貯蔵容器１２２の、上述の一方の側の反対側は、摺動可能な栓１３０により閉鎖されている。流体貯蔵容器１２２が放出装置１１５により収容されているとき、インスリン１０５の必要な量は、調量ボタン１１７の回転により調整される。インスリン１０５は、次に調量ボタン１１７を押すことで放出される。
【００２５】
図２は、一実施例による流体送出装置１００の一コンポーネントの断面図である。このコンポーネントは、放出装置１１５を備える図１を参照しながら説明した流体送出装置１００のコンポーネントであることができるが、紹介する流体送出装置１００は、ばね２００および力センサ２０５を備えているという相違点を含んでいる。本実施例では、流体１０５を含む流体貯蔵容器１２２は、流体送出装置１００により収容されている。放出装置１１５は、流体１０５を流体貯蔵容器１２２から放出するように形成されている。このために放出装置１１５は、任意選択的にハウジング要素２１０、調整要素２１５およびプランジャ２１９を有している。
【００２６】
ばね２００は、放出装置１１５と力センサ２０５との間で緊張され、流体１０５の放出時に復元力Ｆ’を力センサ２０５に及ぼすように形成されている。力センサ２０５は、流体１０５の放出時に、力センサ２０５に作用する復元力Ｆ’をセンシングするように形成されている。
【００２７】
調整要素２１５は、本実施例では、部分的にハウジング要素２１０により収容されている。ばね２００は、一方の側２２０からは、ハウジング要素２１０内に囲繞され、反対側の他方の側２２１からは、調整要素２１５により囲繞されている。ハウジング要素２１０は、本実施例では、突出部２２２をばね２００の載置面２２３として有している。本実施例では、ばね２００は、突出部２２２の載置面２２３に回転可能に支持されている。代替的な一実施例では、ばね２００は、載置面２２３に回転不能に固定されている（これについては図４参照）。他方の側２２１では、ばね２００は、回転不能に力センサ２０５に固定されている。
【００２８】
本実施例では、力センサ２０５は、調量ボタン１１７内に配置されている。調量ボタン１１７は、調整要素２１５の主延在長さに対して横方向に、調整要素２１５の一方の端部に固定されている。放出すべき流体量を調整すべく、調量ボタン１１７は回転され、このとき、調整要素２１５は、回転運動の他に並進運動も行う。調整される回転角度が大きければ大きいほど、調整要素２１５の形態の調整装置は、雄ねじ山２２５を介してハウジング要素２１０の雌ねじ山２２７から、突出部２２２より離間する方向へ螺解される。而して、調量ボタン１１７とハウジング要素２１０との間の間隔は、流体貯蔵容器１２２が解放時に、調量ボタン１１７に及ぼされる圧力によって、所定の変換比でもって段階設定されて排出される行程長さに相当する。その際、プランジャ２１９は、流体貯蔵容器１２２の栓１３０を押圧する。プランジャ２１９は、ロック機構を介して一方向にのみ回転されるねじ山付き棒を有している。連行体ともいう機構コンポーネント２３０により、調量ボタン１１７が最大で、流体貯蔵容器１２２内の残りの流体１０５の充填レベルの程度まで螺解され得ることが保証される。
【００２９】
代替的な一実施例では、調量ボタン１１７は、流体量の調整時、回転運動しか行わない。この場合は、しかし、放出装置１１５のハウジング要素２１０に対する間隔は、変更されない。この場合、回転運動と、載置面２２３に回転不能に固定されたばね２００とにより、ばね２００が緊張され、ばね２００の位置エネルギは、機構により放出時にプランジャ２１９の並進運動に変換される。
【００３０】
ばね２００の復元力Ｆ’は、ばね２００の伸長、つまり長さ（略してｓ）と、ばね定数（略してＤ）とに依存している。ばね定数は、とりわけばね２００の材料と、ばね２００の幾何学形状、すなわちばね２００の線径、ばね径およびばね２００の巻数とに依存している。この関係は、図示の復元力Ｆ’についてばね２００の長さ変化時にも、ばね２００が平面状のスパイラルスプリングである場合は、ばね２００の、図４を参照しながら説明するねじり時にも、近似的に成立する。
【００３１】
以下に、既に述べた要点について、もう一度より詳しく説明する。
【００３２】
調量ボタン１１７は、調整要素２１５の形態の軸部の端部に取着されており、軸部は、雄ねじ山２２５を有している。この雄ねじ山２２５の相手側部材は、ハウジング要素２１０の形態のハウジングに配置されている。ここでは詳しく見ることはしない機構コンポーネント２３０は、調量ボタン１１７と、突出部２２２の形態の定置の通し案内部との間に配置されている。機構コンポーネント２３０は、まだ流体貯蔵容器１２２内に存在している流体量よりも多い流体量が設定され得ないようになっている。プランジャ２１９は、直接的に流体貯蔵容器１２２の栓１３０に接触している。ばね２００の形態のスパイラルスプリングは、上述の他方の側２２１において堅固に調量ボタン１１７に結合されている。ばね２００は、上述の一方の側２２０において、本実施例では、流体量の調整時に連れ回され得るように突出部２２２に機械的に結合されている。図４を参照しながら説明する代替的な一実施例では、ばね２００は、突出部２２２に剛結されている。本実施例では、ばね２００の連れ回りは、ばね２００の巻数変化を防止し、流体量の調整時、本実施例では、ばね２００の長さ変化のみが行われる。
【００３３】
ばね２００の復元力Ｆ’は、力センサ２０５により測定される。ばね２００との機械的な結合は、直接的に行われても、付加的な機構コンポーネントを介して行われてもよい。
【００３４】
図３は、一実施例による流体送出装置１００の一コンポーネントの断面図である。その際、流体送出装置１００の図示の特徴は、流体送出装置１００の、図２を参照しながら説明した特徴であり得る。付加的に本実施例による流体送出装置１００は、特定装置３００、時間検出装置３０５、通信インタフェース３１０および表示装置３１５を備えている。特定装置３００、時間検出装置３０５、通信インタフェース３１０および表示装置３１５は、例示的に調量ボタン１１７内に配置されている。
【００３５】
特定装置３００は、力センサ２０５によりセンシングされた復元力Ｆ’を用いて、流体の放出された流体量を特定し、記憶するように形成されている。時間検出装置３０５は、放出された流体量の少なくとも１つの時点を検出し、記憶するように形成されている。表示装置３１５は、少なくとも放出された流体量および／または少なくとも１つの記憶された流体量および／または記憶された流体量の時点を表示するように形成されている。本実施例によれば、表示装置３１５は、このために電気泳動ディスプレイを有している。通信インタフェース３１０は、少なくとも放出された流体量を、流体送出装置１００の外部に配置された機器に提供するように形成されている。本実施例では、通信インタフェース３１０は、放出された流体量をワイヤレスでこの機器に提供するように形成されている。本実施例では、流体送出装置１００は、さらにエネルギ供給装置、例えばボタン型電池を備え、エネルギ供給装置は、特定装置３００、時間検出装置３０５、通信インタフェース３１０および表示装置３１５にエネルギを供給するように形成されている。
【００３６】
以下に、説明した流体送出装置１００の特徴、機能および利点について、もう一度より詳しく説明する。
【００３７】
糖尿病患者にとって、流体送出装置１００の形態のインスリンペンにおいて、流体量の形で最後のインスリン用量が、対応する注入時点とともに連続的に検出されるようになっていると、かなりの付加価値を意味し得る。紹介する流体送出装置１００は、例えば、流体貯蔵容器の一方の側に単数または複数の光源が配置され、流体貯蔵容器の反対側に例えばＣＣＤラインカメラが配置されていることにより、光学式の方法を用いて流体量を求める送出装置と比較して、光路内の汚損に対する敏感性がないという利点を備えている。さらに、提案するアプローチは、例えば、リング型磁石がホールセンサ回りに回転する磁気式の方法を使用する送出装置と比較して、遙かに低廉に実現可能である。さらに別の利点は、紹介する流体送出装置１００を運転する方法が、ばね２００の長さ、断面積または巻数が変更されるとき、ばね２００のインダクタンス変化に基づいていないことである。而して、ここでは、ばね２００の戻し案内のためのかなりの手間を意味するばね２００の両側での接点接続がなされずに済むとともに、機械的に摩耗し、ヒステリシスを有するすり接点は、不要である。
【００３８】
ここで紹介するアプローチの利点は、ばね２００を備え、ばね２００の長さ変化または巻数変化が復元力Ｆ’を力センサ２０５に及ぼし、力センサ２０５の信号がその後、解放された流体量の形で用量設定を推定させる流体送出装置１００の形態の注入器、特にインスリンペンの提供である。流体送出装置１００は、ばね２００および力センサ２０５の他に、特定装置３００の形態の測定データ検出用のマイクロコントローラと、外部機器、例えばスマートフォンと通信する通信インタフェース３１０の形態の電子コンポーネントと、調量ボタン１１７の形態の頂部に設けられたトリガスイッチとを備えている。
【００３９】
換言すれば、紹介するのは、目下注入されたインスリン量を検出するセンサ装置または用量センサシステムであって、ばね２００を備え、ばね２００は、図２および３を参照しながら説明したように、ばね２００の長さ変化により緊張されるか、または図４を参照しながら説明したように、ねじりによりあるいは巻数の増加により緊張され、その際、力を力センサ２０５に及ぼすセンサ装置または用量センサシステムである。
【００４０】
復元力Ｆ’の力測定は、注入を行うとき、つまり、流体を放出するために調量ボタン１１７を押すときに行われる。復元力Ｆ’は、その後、解放された流体量に換算され、記憶され、かつ表示装置３１５の形態の内蔵型のディスプレイに表示され、かつ／または外部機器に伝送される。
【００４１】
ここで紹介するアプローチの利点は、
−利用者安全性の向上（誤って調量されたインスリン量は、重篤な急性の症状または長期にわたる症状をもたらすおそれがある）、
−少ない管理手間（医師のために手で記録を取ることが省略でき、その代わりに、自動的に検出された流体量が、電子式に（例えばスマートフォンアプリ内に）記録され、電子式に送信され得るからである）、
−極めて好都合な測定方法、
にある。
【００４２】
図４は、一実施例による流体送出装置１００の一コンポーネントの断面図である。これは、図２ないし３を参照しながら説明した流体送出装置１００の１つであることができるが、本実施例では、ばね２００の、図２を参照しながら説明した側が、回転不能に突出部の載置面に固定されているという相違点を含んでいる。
【００４３】
本実施例によれば、調量ボタン１１７を回転させたことによる流体量の増加は、ばね２００の長さ変化にも、ばね２００の巻数変化にもつながる。
【００４４】
図３と同様、ここでも、設定された流体量が多ければ多いほど、復元力Ｆ’が大きいことが当てはまる。この関係は、一義的であるため、回転角度は、即座に力センサ２０５の作動時点で特定され得る。このことは、例えば、信号を提供するために、常に所定の回転角度の通過を必要とするインクリメンタル形の力センサ２０５と比較して大きな利点である。
【００４５】
力センサ２０５は、本実施例では、クオーツ、ピエゾおよびＭＥＭＳをベースに形成されている。４００は、調量ボタンの回転軸線４００を示している。
【００４６】
図５は、一実施例による流体送出装置を製造する方法５００のフローチャートである。これは、図２ないし４を参照しながら説明した流体送出装置を製造する方法５００であることができる。用意のステップ５０５において、流体貯蔵容器から流体を放出する放出装置と、流体の放出時に放出装置に作用する復元力をセンシングするように形成されている力センサとを備える流体送出装置の少なくとも１つのコンポーネントを用意する。緊張のステップ５１０において、流体の放出時に復元力を力センサに及ぼすように形成されているばねを放出装置と力センサとの間で緊張させる。
【００４７】
図６は、一実施例による流体送出装置を運転する方法６００のフローチャートである。これは、図２ないし４を参照しながら説明した流体送出装置の１つを運転する方法６００であることができる。放出のステップ６０５において、流体を流体貯蔵容器から放出する。センシングのステップ６１０において、力センサと放出装置との間で緊張されたばねにより及ぼされる復元力であって、放出のステップ６０５において力センサに作用する復元力をセンシングする。
【００４８】
一実施例が、第１の特徴と第２の特徴との間の「および／または」の接続を含んでいる場合は、当該実施例が、一実施の形態によれば、第１の特徴と第２の特徴とを含んでおり、別の一実施の形態によれば、第１の特徴のみまたは第２の特徴のみを含んでいるものと読解すべきである。
【図１】
2019514629.tif 000003
【図２】
2019514629.tif 000004
【図３】
2019514629.tif 000005
【図４】
2019514629.tif 000006
【図５】
2019514629.tif 000007
【図６】
2019514629.tif 000008
【手続補正書】
【提出日】平成30年11月16日(2018.11.16)
【手続補正１】
【補正対象書類名】特許請求の範囲
【補正対象項目名】全文
【補正方法】変更
【補正の内容】
【特許請求の範囲】
【請求項１】
流体（１０５）を送出する流体送出装置（１００）であって、
前記流体送出装置（１００）は、
流体貯蔵容器（１２２）から前記流体（１０５）を放出する放出装置（１１５）であって、前記放出装置（１１５）は、流体量を調整する調整要素（２１５）と、ハウジング要素（２１０）とを有し、前記調整要素（２１５）は、前記流体（１０５）の放出時に少なくとも部分的に前記ハウジング要素（２１０）内に導入される、放出装置（１１５）と、
前記放出装置（１１５）と力センサ（２０５）との間で緊張され、前記流体（１０５）の放出時に復元力（Ｆ’）を前記力センサ（２０５）に及ぼすように形成されているばね（２００）であって、一方の側（２２０）からは、前記ハウジング要素（２１０）内に囲繞され、反対側の他方の側（２２１）からは、前記調整要素（２１５）により囲繞されているばね（２００）と、
前記他方の側（２２１）に設けられた調量ボタン（１１７）内に配置され、前記流体（１０５）の放出時に、前記力センサ（２０５）に作用する前記復元力（Ｆ’）をセンシングするように形成されている前記力センサ（２０５）と、
を少なくとも備える、流体送出装置（１００）において、
前記ばね（２００）は、前記調量ボタン（１１７）の回転運動により緊張されるように形成されている、
ことを特徴とする、流体送出装置（１００）。
【請求項２】
センシングされた前記復元力（Ｆ’）を用いて、前記流体（１０５）の放出された流体量を特定し、かつ／または記憶するように形成されている特定装置（３００）を備える、請求項１記載の流体送出装置（１００）。
【請求項３】
前記放出された流体量の少なくとも１つの時点を検出し、前記放出された流体量の前記時点を記憶する時間検出装置（３０５）を備える、請求項２記載の流体送出装置（１００）。
【請求項４】
前記放出された流体量および／または少なくとも１つの記憶された流体量および／または前記記憶された流体量の時点を表示する表示装置（３１５）を備え、特に前記表示装置（３１５）は、電気泳動ディスプレイを有する、請求項２または３記載の流体送出装置（１００）。
【請求項５】
前記放出された流体量を、前記流体送出装置（１００）の外部に配置される機器に提供する通信インタフェース（３１０）を備え、特に前記通信インタフェースは、前記放出された流体量をワイヤレスで提供するように形成されている、請求項２から４までのいずれか１項記載の流体送出装置（１００）。
【請求項６】
前記力センサ（２０５）は、クオーツおよび／またはピエゾおよび／またはＭＥＭＳをベースに形成されている、請求項１から５までのいずれか１項記載の流体送出装置（１００）。
【請求項７】
前記流体送出装置（１００）は、医薬品、特にインスリンとしての前記流体（１０５）を送出するように形成されている、請求項１から６までのいずれか１項記載の流体送出装置（１００）。
【請求項８】
前記放出装置（１１５）は、前記流体貯蔵容器（１２２）を押すプランジャ（２１９）を有し、前記プランジャ（２１９）は、前記調整要素（２１５）の運動に対して相対運動を行うように形成されている、請求項１から７までのいずれか１項記載の流体送出装置（１００）。
【請求項９】
前記ハウジング要素（２１０）は、少なくとも１つの突出部（２２２）を前記ばね（２００）の載置面（２２３）として有する、請求項１から８までのいずれか１項記載の流体送出装置（１００）。
【請求項１０】
前記ばね（２００）は、前記突出部（２２２）の前記載置面（２２３）に回転可能に支持されている、請求項９記載の流体送出装置（１００）。
【請求項１１】
流体（１０５）を送出する流体送出装置（１００）を製造する方法（５００）であって、
流体貯蔵容器（１２２）から前記流体（１０５）を放出する放出装置（１１５）と、前記流体（１０５）の放出時に前記放出装置（１１５）に作用する復元力（Ｆ’）をセンシングするように形成されている力センサ（２０５）とを備え、前記放出装置（１１５）は、流体量を調整する調整要素（２１５）と、ハウジング要素（２１０）とを有し、前記調整要素（２１５）は、前記流体（１０５）の放出時に少なくとも部分的に前記ハウジング要素（２１０）内に導入され、かつ前記力センサ（２０５）は、他方の側（２２１）に設けられた調量ボタン（１１７）内に配置されている前記流体送出装置（１００）の少なくとも１つのコンポーネントを用意するステップ（５０５）と、
前記流体（１０５）の放出時に前記復元力（Ｆ’）を前記力センサ（２０５）に及ぼすように形成されているばね（２００）を前記放出装置（１１５）と前記力センサ（２０５）との間で緊張させ、このとき、前記ばね（２００）は、一方の側（２２０）からは、前記ハウジング要素（２１０）内に囲繞され、反対側の他方の側（２２１）からは、前記調整要素（２１５）により囲繞されているように緊張され、かつ前記ばね（２００）は、さらに、前記調量ボタン（１１７）の回転運動により緊張されるように形成され、配置されているステップ（５１０）と、
を少なくとも備える、方法（５００）。
【請求項１２】
請求項１２記載の方法を実施するように構成されたコンピュータプログラム。
【請求項１３】
請求項１３記載のコンピュータプログラムが記憶されている機械読み取り可能な記憶媒体。
【手続補正書】
【提出日】平成30年12月10日(2018.12.10)
【手続補正１】
【補正対象書類名】特許請求の範囲
【補正対象項目名】全文
【補正方法】変更
【補正の内容】
【特許請求の範囲】
【請求項１】
流体（１０５）を送出する流体送出装置（１００）であって、
前記流体送出装置（１００）は、
流体貯蔵容器（１２２）から前記流体（１０５）を放出する放出装置（１１５）であって、前記放出装置（１１５）は、流体量を調整する調整要素（２１５）と、ハウジング要素（２１０）とを有し、前記調整要素（２１５）は、前記流体（１０５）の放出時に少なくとも部分的に前記ハウジング要素（２１０）内に導入される、放出装置（１１５）と、
前記放出装置（１１５）と力センサ（２０５）との間で緊張され、前記流体（１０５）の放出時に復元力（Ｆ’）を前記力センサ（２０５）に及ぼすように形成されているばね（２００）であって、一方の側（２２０）からは、前記ハウジング要素（２１０）内に囲繞され、反対側の他方の側（２２１）からは、前記調整要素（２１５）により囲繞されているばね（２００）と、
前記他方の側（２２１）に設けられた調量ボタン（１１７）内に配置され、前記流体（１０５）の放出時に、前記力センサ（２０５）に作用する前記復元力（Ｆ’）をセンシングするように形成されている前記力センサ（２０５）と、
を少なくとも備える、流体送出装置（１００）において、
前記ばね（２００）は、前記調量ボタン（１１７）の回転運動により緊張されるように形成されている、
ことを特徴とする、流体送出装置（１００）。
【請求項２】
センシングされた前記復元力（Ｆ’）を用いて、前記流体（１０５）の放出された流体量を特定し、かつ／または記憶するように形成されている特定装置（３００）を備える、請求項１記載の流体送出装置（１００）。
【請求項３】
前記放出された流体量の少なくとも１つの時点を検出し、前記放出された流体量の前記時点を記憶する時間検出装置（３０５）を備える、請求項２記載の流体送出装置（１００）。
【請求項４】
前記放出された流体量および／または少なくとも１つの記憶された流体量および／または前記記憶された流体量の時点を表示する表示装置（３１５）を備える、請求項２または３記載の流体送出装置（１００）。
【請求項５】
前記表示装置（３１５）は、電気泳動ディスプレイを有する、請求項４記載の流体送出装置（１００）。
【請求項６】
前記放出された流体量を、前記流体送出装置（１００）の外部に配置される機器に提供する通信インタフェース（３１０）を備える、請求項２から５までのいずれか１項記載の流体送出装置（１００）。
【請求項７】
前記通信インタフェースは、前記放出された流体量をワイヤレスで提供するように形成されている、請求項６記載の流体送出装置（１００）。
【請求項８】
前記力センサ（２０５）は、クオーツ、ピエゾ、またはＭＥＭＳをベースに形成されている、請求項１から７までのいずれか１項記載の流体送出装置（１００）。
【請求項９】
前記流体送出装置（１００）は、医薬品としての前記流体（１０５）を送出するように形成されている、請求項１から８までのいずれか１項記載の流体送出装置（１００）。
【請求項１０】
前記医薬品は、インスリンである、請求項９記載の流体送出装置（１００）。
【請求項１１】
前記放出装置（１１５）は、前記流体貯蔵容器（１２２）を押すプランジャ（２１９）を有し、前記プランジャ（２１９）は、前記調整要素（２１５）の運動に対して相対運動を行うように形成されている、請求項１から１０までのいずれか１項記載の流体送出装置（１００）。
【請求項１２】
前記ハウジング要素（２１０）は、少なくとも１つの突出部（２２２）を前記ばね（２００）の載置面（２２３）として有する、請求項１から１１までのいずれか１項記載の流体送出装置（１００）。
【請求項１３】
前記ばね（２００）は、前記突出部（２２２）の前記載置面（２２３）に回転可能に支持されている、請求項１２記載の流体送出装置（１００）。
【請求項１４】
流体（１０５）を送出する流体送出装置（１００）を製造する方法（５００）であって、
流体貯蔵容器（１２２）から前記流体（１０５）を放出する放出装置（１１５）と、前記流体（１０５）の放出時に前記放出装置（１１５）に作用する復元力（Ｆ’）をセンシングするように形成されている力センサ（２０５）とを備え、前記放出装置（１１５）は、流体量を調整する調整要素（２１５）と、ハウジング要素（２１０）とを有し、前記調整要素（２１５）は、前記流体（１０５）の放出時に少なくとも部分的に前記ハウジング要素（２１０）内に導入され、かつ前記力センサ（２０５）は、他方の側（２２１）に設けられた調量ボタン（１１７）内に配置されている前記流体送出装置（１００）の少なくとも１つのコンポーネントを用意するステップ（５０５）と、
前記流体（１０５）の放出時に前記復元力（Ｆ’）を前記力センサ（２０５）に及ぼすように形成されているばね（２００）を前記放出装置（１１５）と前記力センサ（２０５）との間で緊張させ、このとき、前記ばね（２００）は、一方の側（２２０）からは、前記ハウジング要素（２１０）内に囲繞され、反対側の他方の側（２２１）からは、前記調整要素（２１５）により囲繞されているように緊張され、かつ前記ばね（２００）は、さらに、前記調量ボタン（１１７）の回転運動により緊張されるように形成され、配置されているステップ（５１０）と、
を少なくとも備える、方法（５００）。
【請求項１５】
請求項１４記載の方法を実施するように構成されたコンピュータプログラム。
【請求項１６】
請求項１５記載のコンピュータプログラムが記憶されている機械読み取り可能な記憶媒体。
【国際調査報告】
2019514629.tif 000009
2019514629.tif 000010
2019514629.tif 000011
2019514629.tif 000012
2019514629.tif 000013
2019514629.tif 000014